(57)【要約】【課題】流水検知装置の検知の精度を高めるとともにメンテナンスを容易にする。【解決手段】作動弁１によって配管の一次側３と二次側４とを開閉するスプリンクラー設備に用いられ、前記二次側４の水圧を導水管１１を介して圧力スイッチ１０に導入する流水検知装置において、前記作動弁１をバタフライ弁とし、内部に導水室ｗを有する導水ケース３０を前記配管に着脱可能に取付けて二次側４に連通させる。導水室ｗに前記導水管１１に通じる取水口３６を設けてその取水口３６の弁座３６ａに取水弁体３５を接離自在に設け、作動弁１の弁体２の開弁方向の動きに基づいて取水弁体３５を開弁方向へ動作させる連動手段４０を設けた。導水ケース３０は着脱自在であるので、圧力スイッチ１０への水圧を入断する取水口３６のシール部品等のメンテナンスが容易になる。また、取水口３６の断面を大きく確保すれば、夾雑物の噛み込み等を抑制し検知の精度を高めることができる。【選択図】図１
2008119311.tif 000002
【特許請求の範囲】
【請求項１】
作動弁１によって配管の一次側３と二次側４とを開閉するスプリンクラー設備に用いられ、前記二次側４の配管内の水圧を導水管１１を介して圧力スイッチ１０に導入し、前記圧力スイッチ１０が前記導水管１１内の水圧により前記一次側３から二次側４への流水の有無を検知する流水検知装置において、
前記作動弁１はバタフライ弁又はスイング弁であり、内部に導水室ｗを有する導水ケース３０を前記配管に着脱可能に取付けてその導水室ｗを前記二次側４に連通させ、前記導水室ｗに前記導水管１１に通じる取水口３６を設けてその取水口３６の弁座３６ａに取水弁体３５を接離自在に設け、前記作動弁１の弁体２の開弁方向の動きに基づいて前記取水弁体３５を開弁方向へ動作させる連動手段４０；５０；６０を設けて、その連動手段４０；５０；６０により前記作動弁１の開弁とともに取水口３６を開弁可能としたことを特徴とする流水検知装置。
【請求項２】
前記連動手段４０は、前記弁体２に固定された作動節４１とその作動節４１にピン接続された単一の又は複数の従動節４２，４３を有するリンク機構であり、そのリンク機構は、前記弁体２の開弁方向への動きに伴う前記作動節４１の弁軸７周りの動きを、前記単一の又は複数の従動節４２，４３を介して前記取水弁体３５の開弁方向の動きに変換して動作させることを特徴とする請求項１に記載の流水検知装置。
【請求項３】
前記単一の又は複数の従動節４２，４３のうち一の従動節４３は前記取水弁体３５と一体に固定されてその取水弁体３５とともに前記接離方向へ移動し、前記一の従動節４３と隣接する他の従動節４２とはピン接続されており、前記取水弁体３５を前記導水ケース３０に設けた弾性部材３７により閉弁方向に付勢するとともに、前記一の従動節４３を抜き差し自在に分割したことを特徴とする請求項２に記載の流水検知装置。
【請求項４】
前記連動手段５０は、前記取水弁体３５と一体に固定されてその取水弁体３５とともに前記接離方向へ移動し且つその先端が前記配管内に伸びる押し棒５１を備え、前記取水弁体３５は前記導水ケース３０に設けた弾性部材３７により閉弁方向に付勢されており、前記弁体２の開弁方向への動きに伴い、前記押し棒５１の先端と弁体２が当接することにより前記押し棒５１が移動して前記取水弁体３５を開弁方向に動作させることを特徴とする請求項１に記載の流水検知装置。
【請求項５】
前記連動手段６０は、前記取水弁体３５と一体に固定されてその取水弁体３５とともに前記接離方向へ移動する引き棒６３と、前記引き棒６３と前記弁体２とを結ぶ紐６２を備え、前記取水弁体３５は前記導水ケース３０に設けた弾性部材６５により開弁方向に付勢されて、前記紐６２は、前記作動弁１の弁体２が閉弁状態において前記引き棒６３を介して前記取水弁体３５を閉弁状態に維持しており、前記弁体２の開弁方向への動きに伴い、前記紐６２が緩むと前記弾性部材６５の付勢力により前記取水弁体３５が開弁方向に動作することを特徴とする請求項１に記載の流水検知装置。
【請求項６】
前記導水ケース３０内に取水口３６の配管側に位置するフィルタ３１ｂを設け、そのフィルタ３１ｂの配管側に開閉自在の排水部３３を設けたことを特徴とする請求項１乃至５のいずれかに記載の流水検知装置。
【発明の詳細な説明】
【技術分野】
【０００１】
この発明は、消火用スプリンクラー設備に使用される流水検知装置に関するものである。
【背景技術】
【０００２】
一般に、消火用スプリンクラー設備に使用される流水検知装置は、建物内の天井等に設置されたスプリンクラーヘッドに通じる配管の途中に設けられ、その配管に生じた流水を検知して、スプリンクラー設備が作動していることを示す所定の警報を発信することを目的とするものである。
【０００３】
例えば、図７（ａ）に示すように、湿式スプリンクラー設備では、スプリンクラーヘッド１７に通じる配管内は常に圧力水が充満した状態に維持されており、スプリンクラーヘッドには感熱部が設けられて常温ではシールされた状態となっている。
この流水検知装置の導水管１１は、配管を開閉する機能を有する制御弁とは別に設けられた玉形弁やスイング弁等からなる作動弁１の弁座に開口して設けられている。なお、図７に示す作動弁１は逆止弁機能を有するものである。
作動弁１の弁体２が弁座８に当接することによりその導水管１１が閉鎖され、また、弁座８から作動弁１の弁体２が離れることによりその導水管１１が配管内に開放される。
【０００４】
火災が発生し感熱部が熱で溶けると、スプリンクラーヘッド１７のシールされていた部分が開放されて放水が開始される。放水により配管に流水が生じると、管内の圧力差により作動弁１の弁体２が開く。作動弁１が開くと、弁体２によって塞がれていた流水検知装置の導水管１１が開いて、その導水管１１を介して配管内の水圧が、圧力スイッチ１０を備えた警報装置に作用する。水圧が警報装置に作用すると、配管に流水が生じていることを示す所定の警報を発令する（図７（ｂ）参照）。
この水圧の検知は、導水管１１の開閉により、前記作動弁１の開弁状態で、スプリンクラー配管の一次側３から二次側４へ水が供給されている状態において配管内から導水管１１内へ導入される圧力と、前記作動弁１の閉弁状態で、スプリンクラー配管の一次側３から二次側４へ水が供給されていない状態における導水管１１内の圧力との差異により、その配管内の流水の有無を検知するものである（例えば、特許文献１参照）。
【０００５】
また、流水検知装置は、作動弁を挟んで二次側に加圧空気を充填した乾式スプリンクラー設備や、予作動式スプリンクラー設備にも使用される。
予作動式スプリンクラー設備では、例えば、本発明の実施形態の説明図である図２に示すように、スプリンクラーヘッド１７とは別に設けられた感知器１８が火災の発生を感知すると、制御弁、作動弁１を開放させるとともに、スプリンクラーヘッド１７の感熱部が溶けてシールが開放され、放水が開始される。
このように、制御弁、作動弁１の開放、感熱部のシールの開放が併せて行われることにより放水が開始されるようにし、装置の誤作動による誤った放水を防ぐものである（例えば、特許文献２参照）。
【０００６】
さらに、作動弁１の弁体２の開閉状態を検知するために、その弁体２の開閉方向の動きにより弁体２が機械的にスイッチを押えて回路を入断できるようにし、そのスイッチによる回路の入断により、配管内の状況を検知する手段を備えた流水検知装置も周知である（例えば、特許文献３，特許文献４参照）。
【０００７】
【特許文献１】特開２００５−９５３７３号公報
【特許文献２】実開平０２−３５７６０号公報
【特許文献３】特開２００６−５５４００号公報
【特許文献４】特開２００５−１１４１７４号公報
【発明の開示】
【発明が解決しようとする課題】
【０００８】
しかし、上記特許文献１及び２に示す流水検知装置では、導水管が弁座に開口しているため、その開口部分周囲に異物が噛み込むことによる誤動作が発生しやすいという問題がある。特に、二次側に常に水が滞留しているスプリンクラー設備では、その二次側に残るいわゆる「死に水」の影響で夾雑物が弁座に付着しやすいといえる。
また、その作動弁の弁座と弁体との接離部分に係る止水シールの交換が困難であるという問題もある。したがって、流水検知装置のメンテナンスをさらに容易にすることが求められる。
【０００９】
なお、上記特許文献３及び４に示す流水検知装置では、弁体の開閉度合を機械的または電気的に検知することができるが、流水の有無（一次側から二次側への流水の有無）を直接検知することはできない。
スプリンクラー設備に備えられる流水検知装置では、一次側から二次側へ生じる実際の流水の有無を、その二次側配管内の水圧により検知することが求められるので、このような流水検知装置は、規格上採用できない場合がある。
【００１０】
そこで、この発明は、一次側から二次側へ生じる流水の有無を二次側配管内の水圧により検知する流水検知装置において、その検知の精度を高めるとともにメンテナンスを容易にすることを課題とする。
【課題を解決するための手段】
【００１１】
上記の課題を解決するために、この発明は、作動弁によって配管の一次側と二次側とを開閉するスプリンクラー設備に用いられ、前記二次側の配管内の水圧を導水管を介して圧力スイッチに導入し、前記圧力スイッチが前記導水管内の水圧により前記一次側から二次側への流水の有無を検知する流水検知装置において、前記作動弁はバタフライ弁又はスイング弁であり、内部に導水室を有する導水ケースを前記配管に着脱可能に取付けてその導水室を前記二次側に連通させ、前記導水室に前記導水管に通じる取水口を設けてその取水口の弁座に取水弁体を接離自在に設け、前記作動弁の弁体の開弁方向の動きに基づいて前記取水弁体を開弁方向へ動作させる連動手段を設けて、その連動手段により前記作動弁の開弁とともに取水口を開弁可能とした構成を採用した。
【００１２】
スプリンクラー設備の配管に取付けた導水ケース内を二次側と連通させ、その導水ケース内に作動弁に連動して開閉する取水口を設けて、その取水口と圧力スイッチに通じる導水管とを連通させた構成としたので、配管から圧力スイッチへの水圧導入を入断する開閉弁は、導水ケースとともにスプリンクラー設備の配管に着脱可能である。このため、その着脱により前記取水口の開閉に係るシール部品等の交換が容易となり、メンテナンスを容易にすることができる。
また、圧力スイッチの導水管へと通じる取水口が、導水ケース内、すなわちスプリンクラー設備の作動弁外、配管外に設けることができることから、取水口の断面を比較的大きく確保することができる。取水口の断面を大きくすれば、夾雑物の噛み込み等を抑制することができ、その検知の精度を高めることができる。
【００１３】
この構成において、前記連動手段は、前記弁体に固定された作動節とその作動節にピン接続された単一の又は複数の従動節を有するリンク機構であり、そのリンク機構は、前記弁体の開弁方向への動きに伴う前記作動節の弁軸周りの動きを、前記単一の又は複数の従動節を介して前記取水弁体の開弁方向の動きに変換して動作させる構成とすることができる。
【００１４】
また、前記リンク機構を採用した構成において、前記単一の又は複数の従動節のうち一の従動節は前記取水弁体と一体に固定されてその取水弁体とともに前記接離方向へ移動し、前記一の従動節と隣接する他の従動節とは前記配管内でピン接続されており、前記取水弁体を前記導水ケースに設けた弾性部材により閉弁方向に付勢するとともに、前記一の従動節を前記配管外の部分で抜き差し自在に分割した構成を採用し得る。
このようにすれば、取水口の取水弁体やその周辺のシール部材等のメンテナンスの際に、配管内に収納されたリンク機構を着脱することなく、前記一の従動節を取水弁体とともに取り外すことができる。このため、さらにメンテナンスが容易となる。
なお、前記一の従動節の分割部分に係る抜き差しは、その分割部分を挟んで一方の従動節に設けた凹部に他方の従動節に設けた凸部が嵌る構成としてよい。取水弁体は、弾性部材による付勢力によって閉弁するため、その閉弁の際に、一の従動節が弁体側から引張られて前記抜き差し部分が抜けてしまうことがないからである。
【００１５】
また、前記連動手段として、前述のリンク機構に代えて、次なる構成を採用することもできる。
すなわち、その連動手段は、前記取水弁体と一体に固定されてその取水弁体とともに前記接離方向へ移動し且つその先端が前記配管内に伸びる押し棒を備え、前記取水弁体は前記導水ケースに設けた弾性部材により閉弁方向に付勢されており、前記弁体の開弁方向への動きに伴い、前記押し棒の先端と弁体が当接することにより前記押し棒が移動して前記取水弁体を開弁方向に動作させる構成とし得る。
この構成によれば、作動弁の弁体に、リンク機構等の可動部材を接続する必要がないので、より簡素な構成とすることができる。
【００１６】
また、前記連動手段として、さらに、他の構成を採用することもできる。
すなわち、その連動手段は、前記取水弁体と一体に固定されてその取水弁体とともに前記接離方向へ移動する引き棒と、前記引き棒と前記弁体とを結ぶ紐を備え、前記取水弁体は前記導水ケースに設けた弾性部材により開弁方向に付勢されて、前記紐は、前記作動弁の弁体が閉弁状態において前記引き棒を介して前記取水弁体を閉弁状態に維持しており、前記弁体の開弁方向への動きに伴い、前記紐が緩むと前記弾性部材の付勢力により前記取水弁体が開弁方向に動作する構成とし得る。
この構成によれば、作動弁の弁体には紐を取付けるだけでよく、前述の構成と同じくリンク機構等の可動部材を接続する必要がないので、より簡素な構成とすることができる。
【００１７】
これらの各構成において、前記導水ケース内に取水口の配管側に位置するフィルタを設け、そのフィルタの配管側に開閉自在の排水部を設ければ、その排水部を解放することにより導水ケース内の水が流出し、その流出の際の水勢によりフィルタに付着した夾雑物を除去することができる。このため、取水口への夾雑物の噛み込みを防止するとともに、その夾雑物を捕捉するフィルタの洗浄も簡単となる。
【発明の効果】
【００１８】
この発明は、スプリンクラー設備の配管に取付けた導水ケース内を二次側と連通させ、その導水ケース内に作動弁に連動して開閉する取水口を設けて、その取水口と圧力スイッチに通じる導水管とを連通させた構成としたので、取水口の開閉に係るシール部品等の交換が容易となり、メンテナンスを容易にすることができる。
また、圧力スイッチの導水管へと通じる取水口が、導水ケース内、すなわちスプリンクラー設備の作動弁外、配管外に設けることができることから、取水口の断面を比較的大きく確保することができ、夾雑物の噛み込み等を抑制しその検知の精度を高めることができる。
【発明を実施するための最良の形態】
【００１９】
一実施形態を、図１及び図２に基づいて説明する。この実施形態は、乾式予作動式スプリンクラー設備に採用される流水検知装置である。
図２に示すように、建物内の天井等に設置されたスプリンクラーヘッド１７に通じる配管の途中に、バタフライ弁形式の作動弁（制御弁）１が設けられている。スプリンクラー配管内には、その作動弁１の弁体２を挟んで二次側４に空気が、一次側３には水源１４からポンプ１３により供給された加圧水が、所定の水圧で充填されている。
また、スプリンクラーヘッド１７には、所定の温度で溶ける感熱部が設けられており、その感熱部は、常温において二次側４の配管内を気密にシールしている。
【００２０】
建物内には、前記スプリンクラーヘッド１７とは別に、同じく天井等に感知器１８が設置されており、この感知器１８が火災の発生を感知すると、図２に示す配線２５を介して制御盤１２へ信号を発信する。制御盤１２は、その感知器１８からの信号に基づいて、配線２７を介して作動弁１の弁体２を開放させるようになっている。火災時には、同時に前記スプリンクラーヘッド７の感熱部が溶けてシールが開放されるので、制御弁１の開放によって二次側４に流れ込んだ水が、その二次側４に充填されていた空気を押し出すとともに、放水が開始される。また、制御盤１２は、配線２６を介してポンプ１３を動作させ、水源１４から配管に水を供給するようになっている。
【００２１】
作動弁１及び流水検知装置の基本的機能は、図２に示すように、二次側４の弁室内に開口する導水室ｗ、その導水室ｗに連通する導水管１１が設けられており、その導水管１１が圧力スイッチ１０に通じている。この圧力スイッチ１０は、導水管１１内の水圧が所定の値以上になった際に、それを検知し制御盤１２へ信号を発信する機能を有する。
導水管１１と導水室ｗとは信号停止弁２０によって開閉可能であり、その信号停止弁２０は、平常の状態で前記作動弁１の弁体２とともに閉じられている。
【００２２】
図中に示す符号は、「１９」が開閉弁、「２３」が圧力スイッチ１０への水圧の作用を確保するオリフィス、「１５」がオリフィスを通過した水を管外に排出する排水管、「２２」は信号停止弁、「２４」は排水用の開閉弁である。また、符号「１６」は連通管、「２１」は試験弁である。
【００２３】
配管の二次側４に連通する前記導水室ｗ、導水管１１及び信号停止弁２０等の構成について、以下説明する。
【００２４】
内部に導水室ｗを有する導水ケース３０が、作動弁１の弁箱６に着脱可能に取付けられている。導水ケース３０は、その一端開口部が弁箱６の開口５にねじ込まれて固定されるＴ字管３１と、そのＴ字管３１の他端開口部に接続される誘導管３２を有している。
Ｔ字管３１は、下方に排水部３３を有し、その排水部３３は、前記開閉弁２４を介して水源１４に通じている。また、導水管１１は、前記誘導管３２の連通部３４に接続されている。
【００２５】
前記Ｔ字管３１には、前記他端開口部近くに所定の内径を有する取水口３６が設けられており、その取水口３６には、前記誘導管３２側に向く弁座３６ａがその全周に亘り設けられている。
その取水口３６の弁座３６ａに、取水弁体３５が接離自在に設けられて前記信号停止弁２０を構成している。取水弁体３５は、前記誘導管３２の他端開口部にねじ込まれて固定された収納筒３２ａ、その収納筒３２ａの端面を閉じるキャップ３２ｂ内に収納されたコイルバネ（弾性部材）３７によって、前記弁座３６ａに当接する方向（取水口３６を閉じる方向）に付勢されている。コイルバネ３７は、支持部材３８及びねじ３９によって、前記誘導管３２、収納筒３２ａ、キャップ３２ｂの内側空間に固定されている。
【００２６】
また、この実施形態では、その作動弁１の弁体２と前記取水弁体３５とを連動させる連動手段４０が設けられている。
【００２７】
連動手段４０の構成は、前記作動弁１の弁体２に、その弁体２の閉弁状態において二次側４に向かって垂直に突出する作動節４１が固定されている。この作動節４１は、弁体２に対して固着されている。その作動節４１の先端に、ピン４２ａを介して従動節４２が回転可能に接続され、さらに、その従動節４２の先端にピン４２ｂを介して従動節４３が接続されている。ピン４２ａ，４２ｂは、いずれも配管内（弁箱６内）に位置している。
【００２８】
従動節４３は、前記取水弁体３５と一体に固定されてその取水弁体３５とともに前記接離方向へ移動するようになっている。取水弁体３５は、従動節４３の先端にナット４５で固定されている。
なお、従動節４３は、図１ｄに示す円形の保持部材３１ａによって、Ｔ字管３１の一端開口部から他端開口部に至る管軸中心に保持されている。また、その保持部材３１ａは、中央の保持孔３１ｃ周囲に、水が通過可能な流通孔３１ｄを備えている。また、Ｔ字管３１の前記取水口３６に近い側には、フィルタ３１ｂが設けられている。フィルタ３１ｂは、全面に細かな透孔３１ｅを備え、夾雑物を捕捉する機能を有する。
【００２９】
また、前記従動節４３は、前記配管外の部分で抜き差し自在に分割されている。この分割部分４４，４４は、図１ｃに示すように、前記分割された一方の従動節４３に設けた凹部に、他方の従動節４３に設けた凸部が嵌る構成となっている。分割部分４４，４４を挟んで図中左側の一方の従動節４３を右側に押せば、図中右側の他方の従動節４３も右側に押される。図中右側の他方の従動節４３を左側に押せば、図中左側の一方の従動節４３も左側に押される。また、他方の従動節４３と一方の従動節４３とを、図中の矢印のように相反する方向へ強く引けば、両者が切り離される。
【００３０】
この流水検知装置の作用を説明すると、作動弁１の閉弁状態では、スプリンクラー配管の一次側３から二次側４へ水が供給されておらず、二次側４に予め充填された空気（湿式の場合は充填水）の圧力が導水室ｗ内に作用するが、その導水室ｗは、信号停止弁２０によって閉じられているのでその圧力が導水管１１を通じて圧力スイッチ１０に作用することはない（図１（ａ）参照）。
制御盤１２からの信号により、所定の駆動手段により作動弁１が開弁されて、配管の一次側３から二次側４へと水が流通すると、連動手段４０は、前記弁体２の開弁方向への動きに伴う前記作動節４１の弁軸７周りの動きを、従動節４２，４３を介して前記取水弁体３５の開弁方向の動きに変換して動作させる。
取水弁体３５が前記コイルバネ３７の付勢力に抗して弁座３６ａから離反し、信号停止弁２０が開弁されることにより、二次側４の水圧が導水管１１を通じて圧力スイッチ１０に導入される（図１（ｂ）参照）。
圧力スイッチ１０に導入された水圧は、前記信号停止弁２０の閉弁時における導水管１１内の圧力と比較すると、その圧力差は顕著であるので、圧力スイッチ１０は、前記一次側３から二次側４への流水が生じていることを正確に検知できる。
【００３１】
また、作動弁１の弁体２を閉弁状態に復帰させれば、コイルバネ３７の付勢力により取水弁体３５が弁座３６ａに当接し、信号停止弁２０は閉弁する。
【００３２】
なお、前記導水ケース３０内の取水口３６の配管側にフィルタ３１ｂが設けられているので、取水口３６の弁座３６ａと取水弁体３５との間に夾雑物が噛み込むことを防止している。
また、そのフィルタ３１ｂの配管側に、外部に通じる開閉自在の排水部３３を設けたので、その排水部３３を解放すれば、導水室ｗ内の水が急速に排出される。このため、その水勢によりフィルタ３１ｂに付着した夾雑物を除去し排出することができる。また、同時に、フィルタ３１ｂよりも導水管１１側に滞留する水も、逆流して排水部３３から排出されるので、逆洗の効果も期待できる。
【００３３】
導水ケース３０内の前記取水弁体３５や、弁座３６ａ周囲のシール等を交換する際には、キャップ３２ｂ、収納筒３２ａ、誘導管３２を取外し、ナット４５を緩めて従動節４３から取水弁体３５を取り外すことができる。また、従動節４３はその軸方向中ほどで抜き差し可能に分割されているので、従動節４３に締付けたナット４５を外すことなく、Ｔ字管３１を開口５から取り外すことにより、その従動節４３は前記分割部分を境に相反する方向に引かれて切り離される。このため、そのＴ字管３１内部のフィルタ３１ｂ等の交換が容易である。
【００３４】
なお、図３のように、従動節４３を分割しないようにした構成も採用可能である。従動節４３が分割されていなければ、信号停止弁２０の取水弁体３５を閉弁方向に付勢する手段を省略することもできる。
【００３５】
他の実施形態を図４に示す。この実施形態は、作動弁１の弁体２と前記取水弁体３５とを連動させる連動手段５０を備えたものである。
その構成は、前記取水弁体３５に押し棒５１がナット５３で一体に固定されている。押し棒５１は、取水弁体３５とともにその接離方向へ移動し、且つその押し棒５１の配管側の先端が、配管内の弁体２近くにまで伸びている。
前記取水弁体３５は、前述の実施形態と同様に、導水ケース３０に設けたコイルバネ３７によって閉弁方向に付勢されている（図４（ａ）参照）。
【００３６】
前記弁体２が閉弁状態から開弁方向へ動くと、前記押し棒５１の先端に、弁体２に固定した当て板５２が当接し、さらに弁体２が開弁方向へ動くと、その弁体２の当て板５２により押し棒５１が図中右側に押されて取水弁体３５が開弁方向に移動し、信号停止弁２０が開弁する（図４（ｂ）参照）。
また、作動弁１の弁体２を閉弁状態に復帰させれば、コイルバネ３７の付勢力により取水弁体３５が弁座３６ａに当接し、信号停止弁２０は閉弁する。
【００３７】
さらに、他の実施形態を図５に示す。この実施形態は、作動弁１の弁体２と前記取水弁体３５とを連動させる連動手段６０を備えたものである。
その構成は、前記取水弁体３５に引き棒６３がナット６４で一体に固定されている。引き棒６３は、取水弁体３５とともにその接離方向へ移動し、且つその引き棒６３の配管側の先端には、ワイヤー（紐）６２の他端６２ｂが繋がれている。そのワイヤー６２の一端６２ａは、弁体２の二次側４に向く面に突出して設けた係止部６１に繋がれている。
【００３８】
前記取水弁体３５は、導水ケース３０内に設けたコイルバネ６５によって図中右方向に向かって開弁方向に付勢されている。コイルバネ６５は、支持部材６７，６８及びねじ６６によって、誘導管３２の内側空間に固定されている。
【００３９】
前記ワイヤー６２は、前記作動弁１の弁体２の閉弁状態において、前記引き棒６３を介して前記信号停止弁２０の取水弁体３５を閉弁状態に引張るように維持している（図５（ａ）参照）。
【００４０】
前記弁体２が閉弁状態から開弁方向へ動くと、ワイヤー６２が緩んで前記コイルバネ６５の付勢力により取水弁体３５が開弁方向に移動し、信号停止弁２０が開弁する（図５（ｂ）参照）。
また、作動弁１の弁体２を閉弁状態に復帰させれば、ワイヤー６２は引き棒６３を介して取水弁体３５を図中左方向へと引張って、コイルバネ６５の付勢力に抗して取水弁体３５を弁座３６ａに当接させ、信号停止弁２０が閉弁する（図５（ａ）参照）。
【００４１】
なお、図６に示す取水弁体３５’のように、信号停止弁２０の取水弁体３５（３５’）と、その弁座３６ａの当接面をテーパー状にしてもよい。このようにすれば、信号停止弁２０の閉弁時における止水性が高まる。
【００４２】
なお、上記各実施形態では、作動弁１として、バタフライ弁形式の弁装置を用いたが、スイング弁（揺動弁）、玉形弁など他の形式の弁装置も採用可能である。
また、圧力スイッチ１０として周知の圧力センサーを採用してもよい。
【００４３】
さらに、上記各実施形態は、予作動式スプリンクラー設備に流水検知装置を設置した構成を示したが、上記流水検知装置は、乾式スプリンクラー設備、又は湿式スプリンクラー設備においても適用可能である。
【図面の簡単な説明】
【００４４】
【図１】一実施形態の流水検知装置の作用を示す断面図
【図２】スプリンクラー設備の構成図
【図３】他の実施形態の流水検知装置の作用を示す断面図
【図４】さらに他の実施形態の流水検知装置の作用を示す断面図
【図５】さらに他の実施形態の流水検知装置の作用を示す断面図
【図６】さらに他の実施形態の流水検知装置の作用を示す断面図
【図７】従来例の流水検知装置を示す構成図
【符号の説明】
【００４５】
１  作動弁
２  弁体
３  一次側
４  二次側
６  弁箱
７  弁軸
８，３６ａ  弁座
１０  圧力スイッチ
１１  導水管
１２  制御盤
１３  ポンプ
１４  水源
１５  排水管
１６  連通管
１７  スプリンクラーヘッド
１８  感知器
１９，２４  開閉弁
２０，２２  信号停止弁
２１  試験弁
２３  オリフィス
３０  導水ケース
３１  Ｔ字管
３２  誘導管
３３  排水部
３４  連通部
３５  取水弁体
３６  取水口
３７  弾性部材（コイルバネ）
４０，５０，５０  連動手段
ｗ  導水室
【図１】
2008119311.tif 000003
【図２】
2008119311.tif 000004
【図３】
2008119311.tif 000005
【図４】
2008119311.tif 000006
【図５】
2008119311.tif 000007
【図６】
2008119311.tif 000008
【図７】
2008119311.tif 000009